(57)【要約】【課題】ミシン目を有する連帳紙が張力を付与されて搬送される際、そのミシン目が通過するタイミングに合わせて第１ピンチロール及び第２ピンチロールがそれぞれ張力付与ロールから退避しない構成に比べて、搬送される連帳紙に張力の変動が生じるのを抑制できる搬送装置を得る。【解決手段】ミシン目Ｐｆを有する連帳紙Ｐを張力付与ロール２４とで挟持して搬送する第１ピンチロール３０及び第２ピンチロール５０と、第１ピンチロール３０及び第２ピンチロール５０をそれぞれ張力付与ロール２４へ向けて付勢する第１付勢手段３６及び第２付勢手段５６と、ミシン目Ｐｆが通過するタイミングに合わせて、第１付勢手段３６及び第２付勢手段５６の付勢力に抗して、第１ピンチロール３０及び第２ピンチロール５０をそれぞれ張力付与ロール２４から時間差を持って一時的に退避させる第１退避手段４０及び第２退避手段６０と、を備えた搬送装置２０とする。【選択図】図４
2018034966.tif 000002
【特許請求の範囲】
【請求項１】
ミシン目を有する連帳紙を張力付与ロールとで挟持して搬送する第１ピンチロールと、
前記第１ピンチロールよりも前記連帳紙の搬送方向下流側に配置され、該連帳紙を前記張力付与ロールとで挟持して搬送する第２ピンチロールと、
前記第１ピンチロール及び前記第２ピンチロールをそれぞれ前記張力付与ロールへ向けて付勢する第１付勢手段及び第２付勢手段と、
前記ミシン目が通過するタイミングに合わせて、前記第１付勢手段及び前記第２付勢手段の付勢力に抗して、前記第１ピンチロール及び前記第２ピンチロールをそれぞれ前記張力付与ロールから時間差を持って一時的に退避させる第１退避手段及び第２退避手段と、
を備えた搬送装置。
【請求項２】
前記第１ピンチロール及び前記第２ピンチロールから前記張力付与ロールに対して加えられる圧力の和が一定とされている請求項１に記載の搬送装置。
【請求項３】
前記ミシン目が前記第１ピンチロールと前記張力付与ロールとの間を通過するタイミングに合わせて、前記張力付与ロールに対して加えられる前記第１ピンチロールの圧力が徐々に減少されるとともに前記第２ピンチロールの圧力が徐々に増加され、
前記ミシン目が前記第２ピンチロールと前記張力付与ロールとの間を通過するタイミングに合わせて、前記張力付与ロールに対して加えられる前記第２ピンチロールの圧力が徐々に減少されるとともに前記第１ピンチロールの圧力が徐々に増加される構成とされている請求項２に記載の搬送装置。
【請求項４】
前記第１退避手段及び前記第２退避手段は、偏心カムを含んで構成されている請求項１〜請求項３の何れか１項に記載の搬送装置。
【請求項５】
ミシン目を有する連帳紙を搬送する請求項１〜請求項４の何れか１項に記載の搬送装置と、
前記搬送装置によって搬送される前記連帳紙に画像を形成する画像形成部と、
を備えた画像形成装置。
【請求項６】
ミシン目を有する連帳紙を搬送する請求項１〜請求項４の何れか１項に記載の搬送装置と、
前記搬送装置によって搬送される前記連帳紙に形成された画像を読み取る画像読取部と、
を備えた画像読取装置。
【発明の詳細な説明】
【技術分野】
【０００１】
本発明は、搬送装置、画像形成装置及び画像読取装置に関する。
【背景技術】
【０００２】
ミシン目を折り目として交互に折り畳まれて収容された連帳紙を安定的に引き出して搬送する紙搬送装置は、従来から知られている（例えば、特許文献１参照）。
【先行技術文献】
【特許文献】
【０００３】
【特許文献１】特開２０１６−５５９４６号公報
【発明の概要】
【発明が解決しようとする課題】
【０００４】
本発明は、張力が付与されて搬送されるミシン目を有する連帳紙を第１ピンチロール及び第２ピンチロールと張力付与ロールとで常に挟持して搬送する構成に比べて、搬送される連帳紙に張力の変動が生じるのを抑制できる搬送装置、画像形成装置及び画像読取装置を得ることを目的とする。
【課題を解決するための手段】
【０００５】
上記の目的を達成するために、本発明に係る請求項１に記載の搬送装置は、ミシン目を有する連帳紙を張力付与ロールとで挟持して搬送する第１ピンチロールと、前記第１ピンチロールよりも前記連帳紙の搬送方向下流側に配置され、該連帳紙を前記張力付与ロールとで挟持して搬送する第２ピンチロールと、前記第１ピンチロール及び前記第２ピンチロールをそれぞれ前記張力付与ロールへ向けて付勢する第１付勢手段及び第２付勢手段と、前記ミシン目が通過するタイミングに合わせて、前記第１付勢手段及び前記第２付勢手段の付勢力に抗して、前記第１ピンチロール及び前記第２ピンチロールをそれぞれ前記張力付与ロールから時間差を持って一時的に退避させる第１退避手段及び第２退避手段と、を備えている。
【０００６】
また、請求項２に記載の搬送装置は、請求項１に記載の搬送装置であって、前記第１ピンチロール及び前記第２ピンチロールから前記張力付与ロールに対して加えられる圧力の和が一定とされている。
【０００７】
また、請求項３に記載の搬送装置は、請求項２に記載の搬送装置であって、前記ミシン目が前記第１ピンチロールと前記張力付与ロールとの間を通過するタイミングに合わせて、前記張力付与ロールに対して加えられる前記第１ピンチロールの圧力が徐々に減少されるとともに前記第２ピンチロールの圧力が徐々に増加され、前記ミシン目が前記第２ピンチロールと前記張力付与ロールとの間を通過するタイミングに合わせて、前記張力付与ロールに対して加えられる前記第２ピンチロールの圧力が徐々に減少されるとともに前記第１ピンチロールの圧力が徐々に増加される構成とされている。
【０００８】
また、請求項４に記載の搬送装置は、請求項１〜請求項３の何れか１項に記載の搬送装置であって、前記第１退避手段及び前記第２退避手段は、偏心カムを含んで構成されている。
【０００９】
また、本発明に係る請求項５に記載の画像形成装置は、ミシン目を有する連帳紙を搬送する請求項１〜請求項４の何れか１項に記載の搬送装置と、前記搬送装置によって搬送される前記連帳紙に画像を形成する画像形成部と、を備えている。
【００１０】
また、本発明に係る請求項６に記載の画像読取装置は、ミシン目を有する連帳紙を搬送する請求項１〜請求項４の何れか１項に記載の搬送装置と、前記搬送装置によって搬送される前記連帳紙に形成された画像を読み取る画像読取部と、を備えている。
【発明の効果】
【００１１】
請求項１に係る発明によれば、張力が付与されて搬送されるミシン目を有する連帳紙を第１ピンチロール及び第２ピンチロールと張力付与ロールとで常に挟持して搬送する構成に比べて、搬送される連帳紙に張力の変動が生じるのを抑制することができる。
【００１２】
請求項２に係る発明によれば、第１ピンチロール及び第２ピンチロールから張力付与ロールに対して加えられる圧力の和が一定とされていない構成に比べて、張力付与ロールに対する第１ピンチロール及び第２ピンチロールの接離による圧力の増減で連帳紙に加えられている張力が変動するのを抑制することができる。
【００１３】
請求項３に係る発明によれば、ミシン目が第１ピンチロールと張力付与ロールとの間を通過するタイミングに合わせて、張力付与ロールに対して加えられる第１ピンチロールの圧力が徐々に減少されるとともに第２ピンチロールの圧力が徐々に増加され、ミシン目が第２ピンチロールと張力付与ロールとの間を通過するタイミングに合わせて、張力付与ロールに対して加えられる第２ピンチロールの圧力が徐々に減少されるとともに第１ピンチロールの圧力が徐々に増加される構成とされていない場合に比べて、搬送される連帳紙に張力の変動が生じるのを抑制することができ、連帳紙を安定的に搬送することができる。
【００１４】
請求項４に係る発明によれば、第１退避手段及び第２退避手段が、偏心カムを含んで構成されていない場合に比べて、第１退避手段及び第２退避手段の構成を簡略化することができる。
【００１５】
請求項５に係る発明によれば、請求項１〜請求項４の何れか１項に記載の搬送装置を備えていない場合に比べて、搬送される連帳紙の張力の変動に起因する画像欠陥の発生を抑制することができる。
【００１６】
請求項６に係る発明によれば、請求項１〜請求項４の何れか１項に記載の搬送装置を備えていない場合に比べて、搬送される連帳紙の張力の変動に起因する画像読取不良の発生を抑制することができる。
【図面の簡単な説明】
【００１７】
【図１】本実施形態に係る画像形成装置を示す構成図である。
【図２】（Ａ）本実施形態に係る搬送装置の第１ピンチロール及び第２ピンチロール側の構成を示す斜視図である。（Ｂ）本実施形態に係る搬送装置を構成する第１ピンチロール及び第２ピンチロールを示す斜視図である。
【図３】（Ａ）本実施形態に係る搬送装置のコイルバネ側の構成を示す斜視図である。（Ｂ）本実施形態に係る搬送装置を構成するカム部材を示す斜視図である。
【図４】本実施形態に係る搬送装置を構成する第１ピンチロールをミシン面が通過する前の状態を示す説明図である。
【図５】本実施形態に係る搬送装置を構成する第１ピンチロールをミシン面が通過し始める状態を示す説明図である。
【図６】本実施形態に係る搬送装置を構成する第１ピンチロールをミシン面が通過中の状態を示す説明図である。
【図７】本実施形態に係る搬送装置を構成する第１ピンチロールをミシン面が通過し終えた状態を示す説明図である。
【図８】本実施形態に係る搬送装置を構成する第２ピンチロールをミシン面が通過する前の状態を示す説明図である。
【図９】本実施形態に係る搬送装置を構成する第２ピンチロールをミシン面が通過中の状態を示す説明図である。
【図１０】本実施形態に係る搬送装置の第１ピンチロールと第２ピンチロールとをミシン目が通過するタイミングを示すタイミングチャートである。
【図１１】本実施形態に係る画像読取装置を示す構成図である。
【発明を実施するための形態】
【００１８】
以下、本発明に係る実施の形態について、図面を基に詳細に説明する。なお、説明の便宜上、各図に適宜示される矢印ＵＰを画像形成装置の一例としてのインクジェット記録装置１０の上方向とし、紙面手前方向をインクジェット記録装置１０の前方向とする。また、以下において、ミシン目Ｐｆ（図４参照）を有する連帳紙Ｐの搬送方向を単に「搬送方向」と言い、その搬送方向上流側及び搬送方向下流側を、それぞれ単に「上流側」、「下流側」と言う場合がある。
【００１９】
図１に示されるように、インクジェット記録装置１０は、装置本体内に設けられた画像形成部の一例としてのインクジェット記録ヘッド１２から連帳紙Ｐ上にインク滴（液滴）を吐出することで、その連帳紙Ｐ上に画像を形成するようになっている。詳細に説明すると、インクジェット記録ヘッド１２は、連帳紙Ｐと上下方向で対向する位置に上流側からブラック（Ｋ）、シアン（Ｃ）、マゼンタ（Ｍ）、イエロー（Ｙ）の順に配置されている。
【００２０】
各インクジェット記録ヘッド１２は、連帳紙Ｐの幅方向が長手方向とされており、連帳紙Ｐの紙幅以上の長さを有している。そして、各インクジェット記録ヘッド１２が、後述する搬送経路１８中における画像形成領域１８Ａを搬送される連帳紙Ｐに対して上方から順に各色のインク滴を吐出することにより、その連帳紙Ｐの表面に画像を形成するようになっている。
【００２１】
連帳紙Ｐは、予め決められた間隔で設けられたミシン目Ｐｆ（図４参照）を有しており、そのミシン目Ｐｆを折り目として交互に折り畳まれて箱状の収容部１４に収容されている。そして、連帳紙Ｐは、搬送装置２０によって、その収容部１４から引き出され、搬送経路１８に沿って搬送されつつ、上記の通り、各インクジェット記録ヘッド１２によって、その表面に画像が形成されるようになっている。
【００２２】
なお、画像が形成された連帳紙Ｐは、搬送装置２０によって、引き続き搬送経路１８に沿って搬送され、後述するドライブロール２６よりも下流側に配置されたスイングガイド１５のスイングによってミシン目Ｐｆを折り目として交互に折り畳まれながら、回収部１６に回収されるようになっている。
【００２３】
搬送装置２０は、前後方向が軸方向とされて回転する複数の搬送ロール２２と、収容部１４よりも下流側で、かつインクジェット記録ヘッド１２よりも上流側に配置され、前後方向が軸方向とされて回転する張力付与ロールの一例としてのバックテンションロール２４と、インクジェット記録ヘッド１２よりも下流側で、かつスイングガイド１５よりも上流側に配置され、前後方向が軸方向とされて回転するドライブロール２６と、を有している。
【００２４】
そして、この搬送装置２０は、バックテンションロール２４の上流側及び下流側とドライブロール２６の下流側に、連帳紙Ｐを案内する薄板状のガイド部材２８を有している。したがって、少なくともバックテンションロール２４によって張力が付与された連帳紙Ｐは、ドライブロール２６の回転駆動力により、複数の搬送ロール２２、バックテンションロール２４、ドライブロール２６及びガイド部材２８によって形成されている搬送経路１８に沿って搬送される構成になっている。
【００２５】
また、搬送装置２０は、バックテンションロール２４の外周面とで連帳紙Ｐを挟持して（連帳紙Ｐをバックテンションロール２４の外周面へ押圧して）搬送する第１ピンチロール３０と、第１ピンチロール３０よりも下流側に配置された第２ピンチロール５０と、を含んで構成されている。第１ピンチロール３０と第２ピンチロール５０とは、バックテンションロール２４の軸方向から見て左右対称に配置されており、その構成は略同一である。
【００２６】
まず、第１ピンチロール３０について説明する。図２に示されるように、第２ピンチロール５０に対して上流側に配置されている第１ピンチロール３０は、バックテンションロール２４の軸方向を回転軸方向として、その軸方向に複数並んだ同径の円板部材で構成されている。詳細に説明すると、第１ピンチロール３０は、バックテンションロール２４の軸方向から見て略「Ｌ」字状に形成された支持部材３２の一端部３２Ａに、回転自在に取り付けられている。
【００２７】
支持部材３２の略直角に屈曲された屈曲部（中途部）には、円筒部３２Ｃ（図２（Ｂ）参照）が一体に形成されており、各支持部材３２は、その円筒部３２Ｃの貫通孔３２Ｄに円柱状のシャフト３４が挿入されることで、そのシャフト３４を中心に回転可能に構成されている。なお、シャフト３４の軸方向両端部は、装置本体に設けられた後述するバネ吊り部材３８のブラケット３８Ａに回転不能に固定されている。
【００２８】
図３に示されるように、支持部材３２の他端部３２Ｂには、第１付勢手段の一例としてのコイルバネ３６の一端部３６Ａが取り付けられており、コイルバネ３６の他端部３６Ｂは、バックテンションロール２４の軸方向に延在する略平板状のバネ吊り部材３８に取り付けられている。これにより、第１ピンチロール３０がシャフト３４を中心に回転し、バックテンションロール２４の外周面へ向けて付勢される構成になっている。
【００２９】
また、バックテンションロール２４の軸方向に沿って延在する断面六角形状の支軸４４が、シャフト３４に隣接して設けられている。支軸４４には、断面六角形状の貫通孔４２Ａ（図３（Ｂ）参照）が形成された筒状のカム部材４２が嵌められており、カム部材４２は、支軸４４に対して回転不能に固定されている。そして、カム部材４２の外周面には、第１退避手段の一例としての偏心カム４０が一体に形成されている。
【００３０】
また、図２、図３に示されるように、支軸４４の一端部には、従動ギア４６が固定されており、駆動モーター４８の回転軸（図示省略）に固定された駆動ギア（図示省略）が噛合している。したがって、駆動モーター４８の回転駆動力が駆動ギアから従動ギア４６に伝達されることにより、支軸４４が回転し、カム部材４２の偏心カム４０が一方向に回転する構成になっている。
【００３１】
なお、支持部材３２の屈曲部（円筒部３２Ｃ）と他端部３２Ｂとの間がアーム部３３とされており、カム部材４２の偏心カム４０は、シャフト３４（支軸４４）の軸方向において、支持部材３２のアーム部３３と同位置に配置されている（図４も参照）。これにより、偏心カム４０のカム面４０Ａは、コイルバネ３６の付勢力により、回転しながらアーム部３３及びバネ吊り部材３８に接触する構成になっている。そして、偏心カム４０のプロファイルにより、アーム部３３及びバネ吊り部材３８に対する加圧力が変化する構成になっている。
【００３２】
次に、第２ピンチロール５０について説明する。図２に示されるように、第１ピンチロール３０に対して下流側に配置されている第２ピンチロール５０は、バックテンションロール２４の軸方向を回転軸方向として、その軸方向に複数並んだ同径の円板部材で構成されている。詳細に説明すると、第２ピンチロール５０は、バックテンションロール２４の軸方向から見て略「Ｌ」字状に形成された支持部材５２の一端部５２Ａに、回転自在に取り付けられている。
【００３３】
支持部材５２の略直角に屈曲された屈曲部（中途部）には、円筒部５２Ｃ（図２（Ｂ）参照）が一体に形成されており、各支持部材５２は、その円筒部５２Ｃの貫通孔５２Ｄに円柱状のシャフト５４が挿入されることで、そのシャフト５４を中心に回転可能に構成されている。なお、シャフト５４の軸方向両端部は、装置本体に設けられた後述するバネ吊り部材５８のブラケット５８Ａに回転不能に固定されている。
【００３４】
図３に示されるように、支持部材５２の他端部５２Ｂには、第２付勢手段の一例としてのコイルバネ５６の一端部５６Ａが取り付けられており、コイルバネ５６の他端部５６Ｂは、バックテンションロール２４の軸方向に延在する略平板状のバネ吊り部材５８に取り付けられている。これにより、第２ピンチロール５０がシャフト５４を中心に回転し、バックテンションロール２４の外周面へ向けて付勢される構成になっている。
【００３５】
また、バックテンションロール２４の軸方向に沿って延在する断面六角形状の支軸６４が、シャフト５４に隣接して設けられている。支軸６４には、断面六角形状の貫通孔６２Ａ（図３（Ｂ）参照）が形成された筒状のカム部材６２が嵌められており、カム部材６２は、支軸６４に対して回転不能に固定されている。そして、カム部材６２の外周面には、第２退避手段の一例としての偏心カム６０が一体に形成されている。
【００３６】
また、図２、図３に示されるように、支軸６４の一端部には、図示しない従動ギアが固定されており、その従動ギアに従動ギア６６が噛合している。そして、その従動ギア６６に第１ピンチロール３０の従動ギア４６が噛合している。したがって、駆動モーター４８の回転駆動力が駆動ギアから従動ギア４６、従動ギア６６に伝達され、更に従動ギアに伝達されることにより、支軸６４が回転し、カム部材６２の偏心カム６０が、偏心カム４０と同期して同方向に回転する構成になっている。
【００３７】
なお、支持部材５２の屈曲部（円筒部５２Ｃ）と他端部５２Ｂとの間がアーム部５３とされており、カム部材６２の偏心カム６０は、シャフト５４（支軸６４）の軸方向において、支持部材５２のアーム部５３と同位置に配置されている（図４も参照）。これにより、偏心カム６０のカム面６０Ａは、コイルバネ５６の付勢力により、回転しながらアーム部５３及びバネ吊り部材５８に接触する構成になっている。そして、偏心カム６０のプロファイルにより、アーム部５３及びバネ吊り部材５８に対する加圧力が変化する構成になっている。
【００３８】
以上のような構成の第１ピンチロール３０と第２ピンチロール５０とが、後述するように、連帳紙Ｐのミシン目Ｐｆが通過するタイミングに合わせて、駆動モーター４８が回転駆動されることにより、それぞれコイルバネ３６、５６の付勢力に抗して、バックテンションロール２４の外周面から時間差を持って一時的に退避可能となっている。なお、第１ピンチロール３０と第２ピンチロール５０とが、共にバックテンションロール２４の外周面から退避する（離れる）ことはない。
【００３９】
そして、第１ピンチロール３０及び第２ピンチロール５０の何れか一方がバックテンションロール２４の外周面から一時的に退避したときでも、第１ピンチロール３０及び第２ピンチロール５０の何れか他方によってバックテンションロール２４の外周面に対して加えられる圧力は、第１ピンチロール３０と第２ピンチロール５０との両方によって加えられる圧力と同じ圧力となる構成になっている。つまり、第１ピンチロール３０及び第２ピンチロール５０からバックテンションロール２４の外周面に対して加えられる圧力の和は、常に一定となる構成になっている。
【００４０】
更に、ミシン目Ｐｆが第１ピンチロール３０とバックテンションロール２４との間を通過するタイミングに合わせて、バックテンションロール２４の外周面に対して加えられる第１ピンチロール３０の圧力が徐々に減少され、バックテンションロール２４の外周面に対して加えられる第２ピンチロール５０の圧力が徐々に増加される構成になっている。
【００４１】
そして、ミシン目Ｐｆが第２ピンチロール５０とバックテンションロール２４との間を通過するタイミングに合わせて、バックテンションロール２４の外周面に対して加えられる第２ピンチロール５０の圧力が徐々に減少され、バックテンションロール２４の外周面に対して加えられる第１ピンチロール３０の圧力が徐々に増加される構成になっている。
【００４２】
以上のような構成とされた搬送装置２０を備えたインクジェット記録装置１０において、次にその作用について図４〜図１０を基に説明する。なお、図４〜図９では、ミシン目Ｐｆを誇張して描いている。
【００４３】
図４、図１０に示されるように、カム部材の４２、６２の偏心カム４０、６０のカム面４０Ａ、６０Ａが、アーム部３３、５３及びバネ吊り部材３８、５８に接触していない通常位置では、第１ピンチロール３０及び第２ピンチロール５０が、コイルバネ３６、５６の付勢力（通常の付勢力）により、共にバックテンションロール２４の外周面に接触している。つまり、バックテンションロール２４と、第１ピンチロール３０及び第２ピンチロール５０と、で連帳紙Ｐを挟持して搬送している。
【００４４】
なお、このときの第１ピンチロール３０のコイルバネ３６による付勢力及び第２ピンチロール５０のコイルバネ５６による付勢力は、共に等しい。すなわち、第１ピンチロール３０によってバックテンションロール２４の外周面に加えられる圧力をαとし、第２ピンチロール５０によってバックテンションロール２４の外周面に加えられる圧力をβとすると、α＝βであり、バックテンションロール２４の外周面に加えられる総圧力（圧力の和）は、α＋β（＝２×α＝２×β）となっている。
【００４５】
次に、図５に示されるように、連帳紙Ｐのミシン目Ｐｆが第１ピンチロール３０に接近して来ると、駆動モーター４８が回転駆動され、従動ギア４６を介して偏心カム４０が回転する。すると、偏心カム４０のカム面４０Ａがアーム部３３をコイルバネ３６の付勢力に抗して矢印Ｒ１方向へ徐々に押圧し始める。これにより、第１ピンチロール３０がバックテンションロール２４の外周面から徐々に離隔し始める。
【００４６】
なお、連帳紙Ｐは、その種類ごとにミシン目Ｐｆの間隔が設定されている。したがって、連帳紙Ｐのミシン目Ｐｆが第１ピンチロール３０又は第２ピンチロール５０に接近して来るタイミング、換言すれば、駆動モーター４８を駆動させるタイミングは、連帳紙Ｐの種類を、ユーザーが予めインクジェット記録装置１０の制御部（図示省略）に入力しておくことで、その制御部により自動的に判断される。
【００４７】
一方、駆動モーター４８が回転駆動されると、従動ギア４６と噛合する従動ギア６６と、その従動ギア６６と噛合する従動ギアとを介して、偏心カム６０が、偏心カム４０と同期して同方向に回転する。すると、偏心カム６０のカム面６０Ａがバネ吊り部材５８を矢印Ｒ２方向へ徐々に押圧し始める。これにより、コイルバネ５６の付勢力が徐々に高められ、バックテンションロール２４の外周面に対する第２ピンチロール５０の押圧力が徐々に高められる。
【００４８】
続いて、図６に示されるように、駆動モーター４８が更に回転駆動され、偏心カム４０のカム面４０Ａが支持部材３２のアーム部３３を最大限で押圧すると、第１ピンチロール３０が、バックテンションロール２４の外周面から完全に離隔される。つまり、第１ピンチロール３０は、図１０に示される退避位置に一時的に配置される。
【００４９】
これにより、連帳紙Ｐのミシン目Ｐｆが第１ピンチロール３０に接触することなく通過する。よって、第１ピンチロール３０がバックテンションロール２４の外周面から一時的に退避可能に構成されていない（常に接触するように構成されている）場合に比べて、搬送される連帳紙Ｐに、第１ピンチロール３０に対するミシン目Ｐｆの引っ掛かりによる張力の変動（搬送速度の変動）が生じるのが抑制又は防止され、その変動に起因する画像欠陥の発生が抑制又は防止される。
【００５０】
一方、これに伴い、偏心カム６０のカム面６０Ａがバネ吊り部材５８を最大限で押圧するので、コイルバネ５６の付勢力が最大になり、第２ピンチロール５０がバックテンションロール２４の外周面を最大圧力で押圧する。つまり、第２ピンチロール５０は、図１０に示される最大加圧位置に配置される。
【００５１】
ここで、第２ピンチロール５０の最大加圧位置でのバックテンションロール２４の外周面に対する圧力は、通常位置での圧力の２倍に設定されている。つまり、このときのコイルバネ５６によって付勢された第２ピンチロール５０により、バックテンションロール２４の外周面に加えられる圧力は、２×β（＝α＋β）となっている。換言すれば、第２ピンチロール５０だけでバックテンションロール２４の外周面を押圧する場合も、そのバックテンションロール２４の外周面に加えられる総圧力（圧力の和）は、α＋βとなっている。
【００５２】
このように、第１ピンチロール３０と第２ピンチロール５０とにより、バックテンションロール２４の外周面に加えられる総圧力（圧力の和）は、ミシン目Ｐｆが第１ピンチロール３０を通過するときでも常に一定となっている。よって、その総圧力（圧力の和）が一定とされていない構成に比べて、バックテンションロール２４の外周面に対する第１ピンチロール３０の接離による圧力の増減で、連帳紙Ｐに加えられている張力が変動するのが抑制又は防止される。
【００５３】
また、ミシン目Ｐｆが第１ピンチロール３０とバックテンションロール２４との間を通過するタイミングに合わせて、バックテンションロール２４の外周面に対して加えられる第１ピンチロール３０の圧力が徐々に減少され、バックテンションロール２４の外周面に対して加えられる第２ピンチロール５０の圧力が徐々に増加される構成になっている。したがって、その圧力が徐々に増減する構成とされていない場合に比べて、搬送される連帳紙Ｐに張力の変動が生じるのが抑制又は防止され、連帳紙Ｐが安定的に搬送される。
【００５４】
次に、図７に示されるように、駆動モーター４８が更に回転駆動されると、偏心カム４０が回転し、そのカム面４０Ａがアーム部３３を押圧する押圧力が徐々に低減され始める。すると、第１ピンチロール３０は、コイルバネ３６の付勢力により、矢印Ｒ３方向へ回転し、バックテンションロール２４の外周面に接触し始める。
【００５５】
一方、偏心カム４０の回転に伴い、偏心カム６０が回転し、そのカム面６０Ａがバネ吊り部材５８を押圧する押圧力が徐々に低減され始める。すると、バネ吊り部材５８は、矢印Ｒ４方向へ回転し、バックテンションロール２４の外周面に対する第２ピンチロール５０の押圧力が徐々に低減され始める。そして、図８に示されるように、第１ピンチロール３０と第２ピンチロール５０とは、再び図１０に示される通常位置に配置される。
【００５６】
つまり、第１ピンチロール３０のコイルバネ３６による付勢力及び第２ピンチロール５０のコイルバネ５６による付勢力が、再び共に等しくなり、第１ピンチロール３０及び第２ピンチロール５０によってバックテンションロール２４の外周面に加えられる総圧力（圧力の和）は、α＋β（＝２×α＝２×β）となる。
【００５７】
そして更に、駆動モーター４８が回転駆動され、偏心カム６０のカム面６０Ａが支持部材５２のアーム部５３を最大限で押圧すると、図９に示されるように、第２ピンチロール５０が、バックテンションロール２４の外周面から完全に離隔される。つまり、第２ピンチロール５０は、図１０に示される退避位置に一時的に配置される。
【００５８】
これにより、連帳紙Ｐのミシン目Ｐｆが第２ピンチロール５０に接触することなく通過する。よって、第２ピンチロール５０がバックテンションロール２４の外周面から一時的に退避可能に構成されていない（常に接触するように構成されている）場合に比べて、搬送される連帳紙Ｐに、第２ピンチロール５０に対するミシン目Ｐｆの引っ掛かりによる張力の変動（搬送速度の変動）が生じるのが抑制又は防止され、その変動に起因する画像欠陥の発生が抑制又は防止される。
【００５９】
一方、これに伴い、偏心カム４０のカム面４０Ａがバネ吊り部材３８を最大限で押圧するので、コイルバネ３６の付勢力が最大になり、第１ピンチロール３０がバックテンションロール２４の外周面を最大圧力で押圧する。つまり、第１ピンチロール３０は、図１０に示される最大加圧位置に配置される。
【００６０】
ここで、第１ピンチロール３０の最大加圧位置でのバックテンションロール２４の外周面に対する圧力は、通常位置での圧力の２倍に設定されている。つまり、このときのコイルバネ３６によって付勢された第１ピンチロール３０により、バックテンションロール２４の外周面に加えられる圧力は、２×α（＝α＋β）となっている。換言すれば、第１ピンチロール３０だけでバックテンションロール２４の外周面を押圧する場合も、そのバックテンションロール２４の外周面に加えられる総圧力（圧力の和）は、α＋βとなっている。
【００６１】
このように、第１ピンチロール３０と第２ピンチロール５０とにより、バックテンションロール２４の外周面に加えられる総圧力（圧力の和）は、ミシン目Ｐｆが第２ピンチロール５０を通過するときでも常に一定となっている。よって、その総圧力（圧力の和）が一定とされていない構成に比べて、バックテンションロール２４の外周面に対する第２ピンチロール５０の接離による圧力の増減で連帳紙Ｐに加えられている張力が変動するのが抑制又は防止される。
【００６２】
また、ミシン目Ｐｆが第２ピンチロール５０とバックテンションロール２４との間を通過するタイミングに合わせて、バックテンションロール２４の外周面に対して加えられる第２ピンチロール５０の圧力が徐々に減少され、バックテンションロール２４の外周面に対して加えられる第１ピンチロール３０の圧力が徐々に増加される構成になっている。したがって、その圧力が徐々に増減する構成とされていない場合に比べて、搬送される連帳紙Ｐに張力の変動が生じるのが抑制又は防止され、連帳紙Ｐが安定的に搬送される。
【００６３】
なお、この状態の後、更に駆動モーター４８が回転駆動されると、第１ピンチロール３０と第２ピンチロール５０とは、図４に示される通常位置に配置され、次のミシン目Ｐｆが第１ピンチロール３０に接近して来るまで、バックテンションロール２４の外周面とで連帳紙Ｐを挟持して搬送する。
【００６４】
以上、本実施形態に係る搬送装置２０について、図面を基に説明したが、本実施形態に係る搬送装置２０は、図示のものに限定されるものではなく、本発明の要旨を逸脱しない範囲内において、適宜設計変更可能なものである。例えば、第１退避手段及び第２退避手段は、偏心カム４０、６０を含んで構成されるものに限定されるものではなく、エアシリンダー等のアクチュエーター（図示省略）によって構成されていてもよい。但し、第１退避手段及び第２退避手段が、偏心カム４０、６０を含んで構成されていると、その構成が簡略化される利点がある。
【００６５】
また、図１に示されるように、ドライブロール２６と対向する位置に、連帳紙Ｐを挟持して搬送する第１ピンチロール３０と第２ピンチロール５０とを設ける構成としてもよい。この場合も、第１ピンチロール３０と第２ピンチロール５０とが、連帳紙Ｐのミシン目Ｐｆが通過するタイミングに合わせて、それぞれドライブロール２６の外周面から時間差を持って一時的に退避可能となるように構成される。なお、ドライブロール２６によっても連帳紙Ｐに張力が付与される。したがって、ドライブロール２６も張力付与ロールの一例である。
【００６６】
また、図１１に示されるように、本実施形態に係る搬送装置２０は、連帳紙Ｐの幅方向が長手方向とされた画像読取部の一例としてのスキャナー６８を備えた画像読取装置７０にも適用が可能である。本実施形態に係る搬送装置２０が適用された画像読取装置７０によれば、搬送される連帳紙Ｐの張力の変動に起因するスキャナー６８の画像読取不良の発生が抑制される。また、本実施形態に係る搬送装置２０は、画像読取装置７０を備えた画像形成装置１０にも適用が可能である。
【符号の説明】
【００６７】
１０  インクジェット記録装置（画像形成装置の一例）
１２  インクジェット記録ヘッド（画像形成部の一例）
２０  搬送装置
２４  バックテンションロール（張力付与ロールの一例）
３０  第１ピンチロール
３６  コイルバネ（第１付勢手段の一例）
４０  偏心カム（第１退避手段の一例）
５０  第２ピンチロール
５６  コイルバネ（第２付勢手段の一例）
６０  偏心カム（第２退避手段の一例）
６８  スキャナー（画像読取部の一例）
７０  画像読取装置
Ｐ  連帳紙
Ｐｆ  ミシン目
【図１】
2018034966.tif 000003
【図２】
2018034966.tif 000004
【図３】
2018034966.tif 000005
【図４】
2018034966.tif 000006
【図５】
2018034966.tif 000007
【図６】
2018034966.tif 000008
【図７】
2018034966.tif 000009
【図８】
2018034966.tif 000010
【図９】
2018034966.tif 000011
【図１０】
2018034966.tif 000012
【図１１】
2018034966.tif 000013